(57)【要約】【課題】  陰茎への装着が極めて容易であると共に、中折れなどどのような状態の陰茎にも適合して脱落しにくいような陰茎補強具を提供する。【解決手段】  シリコン樹脂等の柔軟な素材から成る筒状体に、筒状体の一端部である装着口から筒状体の長手方向へ向かってスリットが設けられており、筒状体の他側から前記装着口の方へ被せることが出来るようにシリコン樹脂等の柔軟な素材から成るカバーが設けられている陰茎補強具とした。カバーにはコンドームを利用することが可能である。また陰茎に振動刺激を与えるためのバイブレータを備えたものとしても良い。【選択図】図１
0003148498.tif 000002
【実用新案登録請求の範囲】
【請求項１】
柔軟な素材から成る筒状体に、その長手方向へ向かって筒状体の一端部である装着口から他端部に抜けるスリットが設けられているかまたは装着口から他端部への途中までスリットが設けられており、且つ筒状体の他側から前記装着口の方へ被せることが出来るように柔軟な素材から成るカバーが備えられていることを特徴とする陰茎補強具。
【請求項２】
前記スリットが複数設けられている請求項１に記載の陰茎補強具。
【請求項３】
前記カバーがコンドームである請求項１に記載の陰茎補強具。
【請求項４】
前記カバーが筒状体の他側に巻かれた状態で備えられている、請求項１に記載の陰茎補強具。
【請求項５】
前記カバーが、装着口の方へ被せた時にリング状の巻き残り部を生ずるような長さを有している、請求項４に記載の陰茎補強具。
【請求項６】
前記筒状体の少なくとも装着口の近くに、前記カバーの端部を掛止するための山越えが設けられている、請求項１に記載の陰茎補強具。
【請求項７】
前記筒状体の周囲に突起が設けられている請求項１に記載の陰茎補強具。
【請求項８】
更に陰茎を周囲から締め付けるリングを備えている請求項１に記載の陰茎補強具。
【請求項９】
前記リングに磁石またはゲルマニウムが取り付けられている、請求項８に記載の陰茎補強具。
【請求項１０】
前記筒状体が、陰茎に振動刺激を与えるためのバイブレータを備えている請求項１に記載の陰茎補強具。
【請求項１１】
前記リングが、陰茎に振動刺激を与えるためのバイブレータを備えている請求項８に記載の陰茎補強具。
【考案の詳細な説明】
【技術分野】
【０００１】  この考案は陰茎への装着が極めて容易な、陰茎のいわゆる中折れを防止するための陰茎補強具に関するものである。
【背景技術】
【０００２】  性交時に十分な勃起が得られないためにあるいは十分な勃起が維持できないために満足な性交が得られない状態を勃起不全あるいは勃起障害と言うが、これは男性ならば多くの人に起こり得るものである。この治療には投薬治療があるが、薬を飲めないあるいは飲まない人のための陰茎勃起用の器具が提供されている。【０００３】  例えば特開平０８−０８０３１４号の陰茎の勃起用器具は、勃起不全を解消することを目的に、器具本体が略サック形に形成され、且つこの器具本体が少なくとも海綿状弾性層を具備し、しかもこの器具本体の内面側に少なくとも芳香剤を含有する勃起促進剤が塗布されてなることを特徴とするものである。このものは陰茎に外嵌着して使用されるが、略サック形に形成されているために、陰茎への装着が容易且つスムーズであると言う。【０００４】  このような陰茎への外嵌着器具以外にも、勃起状態の陰茎を締め付けて勃起状態を維持するための緊縛バンド状の器具などがある。
【特許文献１】特開平０８−０８０３１４号公報（００１３項及び図２）
【特許文献２】特表２００３−５１４６０８号公報
【考案の開示】
【考案が解決しようとする課題】
【０００５】  しかしながら上記緊縛バンド状の器具は、バンドを陰茎の回りに捲かなくてはならないため、装着に手間取ると言う欠点がある。あまり装着に時間が掛かると勃起状態の陰茎がその勢いを失う恐れがある。また上記特開平０８−０８０３１４号の陰茎の勃起用器具によれば、陰茎への装着が容易且つスムーズであると言うものの、略サック形に形成された器具であるため、陰茎の大小長短や勃起の力強さの大小（中折れの程度）に合わないことも多く、このような場合には装着に手間取ったり、装着できても陰茎から脱落する恐れがある。【０００６】  従ってこの考案では、上述したような問題点を解消して、陰茎への装着が極めて容易であると共にどのような状態の陰茎にも適合して脱落しにくいような、そうした陰茎補強具の提供を課題とする。
【課題を解決するための手段】
【０００７】  上記の課題は、シリコン樹脂等の柔軟な素材から成る筒状体に、その長手方向へ向かって筒状体の一端部である装着口から他端部に抜けるスリットが設けられているかまたは装着口から他端部への途中までスリットが設けられており、且つ筒状体の他側から前記装着口の方へ被せることが出来るように柔軟な素材から成るカバーが備えられていることを特徴とする陰茎補強具とすることで達成される。この筒状体は柔軟な素材からなるため陰茎や膣を傷付けるようなことがない。また筒状体は陰茎を支えてその中折れを防止するためにある程度の厚みを有するが、筒状体としたことによって陰茎に装着した際に亀頭が筒状体の先から突出するため、亀頭で受ける感覚が鈍るようなことがない。この筒状体には装着口にスリットが設けられているため装着口あるいはスリット径を広げることができる。従って大きな陰茎にもまた中折れなどのどのような状態の陰茎にもフィットするのである。これが単なる筒状体であるとこうはいかないのである（第１実施形態を参照）。このようにして装着した後、前記カバーを以て前記装着口へ向けて筒状体を被覆するようにすると、前記スリットが設けられているにも係わらず筒状体を回りから締め付けて、容易には脱落しないようにすることができる。またカバーによる締め付け力は小さな陰茎にこの筒状体をフィットさせるのに役立つ。このようにして陰茎の勃起状態を補強することができるのである。またカバーは後述するように筒状体と一体のものとしても良いし、別体のものとしても良い。なおスリットは着物の前身ごろのごとくスリットの両側の部位が重なり合うように形成しても良い。またスリットは装着口から他端部へ抜ける切り裂き部とすることができる。【０００８】  次に請求項１に記載の陰茎補強具に於いて、前記スリットが複数設けられているものとすることができる。例えば装着口の２回対称の位置に２つのスリットを設けておけば装着口を大きく開くことができるため、更に装着が容易なものとなる。なおスリットを設ける位置は必ずしも回転対称の位置でなくとも良い。また３つでも４つでも所望の数だけ設けることができる。またスリットの形状に付いても自由である。【０００９】  次に請求項１に記載の陰茎補強具に於いて、前記カバーがコンドームであるものとすることができる。亀頭は筒状体の先から突出しているため、カバーにコンドームを用いることにより避妊の効果が期待できる。しかも亀頭を覆うものがコンドームであるため亀頭で受ける感覚を鈍らせるようなことがない。なおコンドームを筒状体とセット販売することができる。例えば１つの筒状体に対してコンドームの１ダースを組み合わせて提供するのである。またコンドームは巻かれた状態で筒状体の他側に備えるようにすることができ、この場合筒状体を陰茎に装着すると直ぐにカバーできる体勢となるため使い勝手が良い。また後述する山越えの構成を採用して、筒状体に被せたコンドームの端部をこの山越えに掛止させるようにすると、コンドームが巻き戻ることが抑制され、筒状体が陰茎から外れにくくなる。【００１０】  次に請求項１に記載の陰茎補強具に於いて、前記カバーが筒状体の他側に巻かれた状態で備えられているものとすることができる。こ���構成によれば筒状体の陰茎への装着時にカバーを一旦筒状体の一端部である装着口の側から筒状体の他側へ外すと言うような作業を行なう必要がない。すなわちカバーは他側に巻かれた状態にあり、スリットは開かれた状態にあるため、そのままで陰茎へ装着することができる。その後他側に巻かれた状態のカバーを装着口の方まで巻きを壊すようにして広げてスリットの部位を覆うようにするのである。次に筒状体を陰茎から取り外す際には、先ずカバーを筒状体の他側へ巻き戻してスリットの部位を露出させるようにすれば良い。なお前記カバーが、装着口の方へ被せた時にリング状の巻き残り部を生ずるような長さを有しているものとすることができる。この巻き残り部には後述するリングと同様の作用がある。すなわち巻き残り部はリングの一種であり、このリングによって陰茎の周囲、特に陰茎の付け根付近を締め付けることによる勃起状態の維持作用が認められる。また巻き戻す際にはこの巻き残り部が芯の役目を担うため扱いやすくなる。【００１１】  次に請求項１に記載の陰茎補強具に於いて、この筒状体の少なくとも装着口の近くに、前記カバーの端部を掛止するための山越えが設けられているものとすることができる。筒状体を陰茎に装着した後にカバーを装着口の方まで広げて筒状体を締め付けるようにするのであるが、この際にカバーの端が装着口の近くに設けた山越えを越えるようにすることによってカバーの巻き戻しが防止される。すなわち山越えはカバーの端部を掛止し、その結果筒状体を陰茎から外れにくくするのである。【００１２】  次に請求項１に記載の陰茎補強具に於いて、前記筒状体の周囲に突起が設けられているものとすることができる。この突起は筒状体に被せられたカバーにも現われ、これにより膣内壁を刺激することができるが、突起は直接的に膣内壁に触れるのではなくカバーを介して間接的によりソフトに触れるのである。【００１３】  次に請求項１に記載の陰茎補強具に於いて、更に陰茎を周囲から締め付けるリングを備えているものとすることができる。この考案の作用に加えて、リングで陰茎の周囲を特に陰茎の付け根付近を締め付けることによる勃起状態の維持作用が得られる。筒状体に被せたカバーをリングで押さえることも可能である。なおリングに磁石またはゲルマニウムが取り付けられているものとすることができる。この磁石などは血行に作用して良い影響を陰茎に与えることが可能である。【００１４】  なお上述したように筒状体を陰茎に装着した後にカバーを装着口の方まで広げて筒状体を締め付けるようにするのであるが、この際にカバーの端に前記リングを取り付けておいて、このリングで装着口の近くを締め付けるように構成することもできる。【００１５】  次に請求項１に記載の陰茎補強具に於いて、前記筒状体が、陰茎に振動刺激を与えるためのバイブレータを備えているものとすることができる。いわゆる中折れ状態の陰茎に振動刺激を与えると陰茎が力を回復する場合のあることが知られている。従ってこの考案の更なる課題として、陰茎への装着が極めて容易であると共にどのような状態の陰茎にも適合して脱落しにくく、且つ陰茎に対して振動刺激を与えることができるような、そうした陰茎補強具の提供を上げたわけである。前記バイブレータは一般的に偏心重錘を有するモータによって構成されているものであり、このモータに電池とスイッチとが接続されている。また例えば特表２００３−５１４６０８のように、更に前記モータの動きを細かく制御するためのコントローラが接続されているものがある。このようなバイブレータを筒状体が備えて、これを装着した陰茎に対して振動刺激を与えることにより、筒状体が陰茎の勃起力を高める際の一助となる。またこの振動刺激は性交時には陰核や膣内壁にも伝わることがある。【００１６】  なお請求項８に記載の陰茎補強具に於いて、前記リングが、陰茎に振動刺激を与えるためのバイブレータを備えているものとすることができる。リングは陰茎を周囲から締め付けるためのものであるが、これにバイブレータを設けているため、陰茎に対して振動刺激を与えることができる。また上記同様に性交時には陰核や膣にも振動刺激を与えることがある。
【考案の効果】
【００１７】  この考案の陰茎補強具は、シリコン樹脂等の柔軟な素材から成る筒状体に、その長手方向へ向かって筒状体の一端部である装着口から他端部に抜けるスリットが設けられているかまたは装着口から他端部への途中までスリットが設けられており、且つ筒状体の他側から前記装着口の方へ被せることが出来るように柔軟な素材から成るカバーを備えているため、装着口を広げることができて中折れなどのどのような状態の陰茎にもフィットし、カバーが筒状体を回りから締め付けて容易には脱落しないようにすることができる。すなわち陰茎への装着が極めて容易であると共にどのような状態の陰茎にも適合して脱落しにくいと言う効果を奏する。この考案の陰茎補強具は勃起障害の治療薬を飲めないあるいは飲まないと言う人のために最適なものとなるが、また治療薬の補助的な使い方も可能である。なおバイブレータを備えているものでは陰茎に振動刺激を与えることができるため、陰茎の勃起力を高める一助となる。
【考案を実施するための最良の形態】
【００１８】  以下ではこの考案の実施形態を図面に基づいて説明するが、この考案はこれ等の実施形態にのみ限定されることなく、この考案の思想の範囲に於いて種々バリエーションを与えることができるものである。【００１９】  （第１実施形態）
図１及び図２はこの考案の第１実施形態を表わす。この実施形態の陰茎補強具の特徴はカバーにコンドーム２を用いている点にある。シリコンゴム製の筒状体１にはその装着口に、コンドーム２の巻き芯部２１を掛止するための山越え１０が設けられていると共に、この山越え１０から筒状体１の長手方向へ向かって先端部に円孔１２のあるスリット１１が２回対称の位置に設けられている。また筒状体１の他側の口から前記山越え１０の方へ被せることができるように他側の口にラテックスゴム製のコンドーム２が取り付けられている。すなわち他側の口の近傍にはこのコンドーム２を巻き芯部２１から巻いた巻き上げ部２０があたかも円環状のリングのように掛けられている（図１）。なおこのコンドーム２には市販の一般的なものが使用可能である。従って筒状体１とコンドーム２とが別々に販売されたとしても、一体として使うことを意図している場合にはこの考案の権利に抵触することになる。当然のことながらコンドーム２は避妊対策にもなる。【００２０】  この実施形態の陰茎補強具を使用するには、筒状体１を２つのスリット１１から広げるようにして陰茎に装着し、続いてコンドーム２を前記巻き上げ部２０を陰茎の根元に向かって転がしながらコンドーム２の巻き芯部２１が山越え１０を越えるまで筒状体１に被せるようにすると装着が完了する（図２）。筒状体１は２つのスリット１１から大きく広げられるため、中折れなどのどのような状態の陰茎でも容易に被せることができる。これが単なる筒状体であるとこうはいかないのである。なおスリット１１にはその先端部に円孔１２が設けられている。これはなくても問題無いが、あればスリット１１が不本意に裂け込んで行くことが円孔１２が無い場合よりも防ぎやすくなる。このようにして陰茎に装着した筒状体１であるが、このままではスリット１１が開きやすいため、筒状体１で中折れしている陰茎をしっかりと支持補強するためには、続けてコンドーム２の巻き上げ部２０を山越え１０を越えるまで筒状体１上で転がすようにして筒状体１に被せることにより、コンドーム２によって筒状体１を締め付け延いては陰茎Ｐを補強することができる。この時にスリット１１はコンドーム２によって締め付けられ開くことがない。またコンドーム２はその開口端である巻き芯部２１が山越え１０を越えていることにより巻き戻りすることが防がれている（図２）。【００２１】  （第２実施形態）
図３及び図４はこの考案の第２実施形態を表わす。この実施形態の陰茎補強具の特徴は筒状体３の周壁部に山部３０と谷部３１とが連続した波が形成されていること、カバー４が上述した第１実施形態のコンドーム２のようには筒状体３の他側の口を覆っておらず、他側の口が解放されており陰茎の亀頭が出るようになっている点にある。シリコンゴム製の筒状体３には同じくシリコンゴム製のカバー４が筒状体３の他側の口から装着口のほうに転がしながら被せることができるように取り付けられている。また他側の口に近い谷部３１の所に巻き上げ部４０が置かれている。すなわち他側の口の近傍にはカバー４を巻き芯部４１から巻いた巻き上げ部４０があたかも円環状のリングのように掛けられている。また筒状体３の装着口から筒状体３の長手方向へ向かってスリット３２が１つ設けられている。このスリット３２は先端部に円孔３３を有する。【００２２】  この実施形態の陰茎補強具を使用するには、筒状体３をスリット３２から広げるようにして陰茎に装着し、続いてカバー４の巻き上げ部４０を陰茎の根元に向かって転がしながらカバー４の巻き芯部４１が装着口近くの山部３０を越えるまで筒状体３に被せるようにすると装着が完了する。この装着の際に筒状体１はスリット３２から大きく広げられるため、中折れなどのどのような状態の陰茎でも容易に被せることができる。スリットは１つでも十分効果がある。図４では筒状体３の他側の口から陰茎の亀頭が外に出ており、この状態で陰茎Ｐが締め付けられて補強されている。またスリット３２はカバー４により締め付けられ開くことがない。またカバー４は巻き芯部４１が山部３０を越えていることにより巻き戻りしにくい。【００２３】  （第３実施形態）
図５はこの考案の第３実施形態を表わすが、ここでは筒状体５のみが図解されている。すなわち筒状体５の装着口から筒状体５の長手方向へ向かってスリット５０が設けられているが、このスリット５０はスリットの両縁部が開いておらず、互いに重なり合うように形成されている点に特徴を有する。なお符号５１はスリット５０の先端部分に設けられた円孔である。【００２４】  このようなタイプのスリット５０によれば、両縁部が開いているスリットに比して陰茎を噛むような心配が少ない。【００２５】  （第４実施形態）
図６及び図７はこの考案の第４実施形態を表わす。この実施形態の陰茎補強具の特徴は上述の第２実施形態の陰茎補強具に更に円環状のリング６を組み合わせて成る点にある。なおこのリング６には磁気治療具としての効果が期待される磁石６０が等間隔で埋め込まれている。なお磁石６０の代わりにゲルマニウム粒などを使用することができる。【００２６】  筒状体３をスリット３２から広げるようにして陰茎に装着し、続いてカバー４を陰茎の根元に向かって転がしながら、カバー４の巻き芯部４１が装着口近くの山部３０を越えるまで筒状体３に被せるようにすると装着が完了する。この後、筒状体３の任意箇所の谷部３１に前記リング６を装着するようにする。リング６には中折れ傾向にある陰茎を補強する効果がある。この意味ではリング６の代わりに紐で谷部３１を縛るようにしても良い。また筒状体３上での装着位置としては装着口近くの谷部３１すなわち陰茎の根元付近がより効果的な部位と考えられている。リング６にはカバー４を押さえる作用もある。また筒状体３の山部３０と谷部３１とによってリング６の位置がずれにくいと言う効果がある。なおリングは円環状のみならずΩ状などとすることが可能である。【００２７】  （第５実施形態）
図８はこの考案の第５実施形態を表わす。この実施形態の陰茎補強具の特徴は上述した第１実施形態の筒状体１の周壁部にたくさんの突起１３が形成されており、この上に被せたシリコンゴム製のカバー７上に突起１３が反映されて突起７０が現われる点に存する。なお符号７１はカバー７の巻き芯部である。またこの実施形態の筒状体１のスリット１１にはその先端部に円孔は形成されていない。【００２８】  前記巻き芯部７１からカバー７を巻き上げてできる図示しない巻き上げ部は、筒状体１の他側の口に近い２列の突起１３の間に納まるようになっている。また筒状体１を陰茎に装着した後にカバー７の巻き芯部７１が装着口近くの山越え１０を越えるまで、カバー７を筒状体１に被せるようにすると、山越え１０の作用もさることながら突起１３の作用によってカバー７が巻き戻りしにくい。従って山越え１０を不要とする構成も可能である。なお突起１３によって現われる突起７０には膣壁を擦ると言う作用もある。【００２９】  （第６実施形態）
図９及び図１０はこの考案の第６実施形態を表わす。この実施形態の陰茎補強具はその殆どの構成を第２実施形態の構成に倣うが、その大きな特徴は筒状体３に振動部８を備えている点にある。振動部８は図１０で示すように超小型のモータ８０の回転軸に重錘８１を偏心させて取り付けて成るものであり、筒状体３の中に埋め込まれている。このモータ８０に電源を供給するための電池８３と電源をＯＮ／ＯＦＦするためのスイッチ８４とがリング３５内に納められており、このリング３５が筒状体３の装着口に接続部３４を介して接続されている。そしてモータ８０と電池８３とを繋ぐリード線８２が筒状体３の中に埋め込まれており、接続部３４の中を通って、直列接続された電池８３とスイッチ８４とに接続されている。【００３０】  この実施形態の陰茎補強具を使用するには、リング３５を陰茎に通しつつ、筒状体３をスリット３２から広げるようにして陰茎に装着する。リング３５は陰茎の付け根に位置して中折れの傾向にある陰茎を補強する役割をも担う。続いてカバー４の巻き上げ部４０を陰茎の根元に向かって転がしながらカバー４の巻き芯部４１が装着口に至るまで筒状体３に被せるようにすると装着が完了する。振動部８は筒状体３の中に埋め込まれているが、その外側は更にカバー４で覆われることになる。そこで図９で示したリング３５の図示しないスイッチ（図１０では符号８４が指示している）をＯＮ状態にすると、モータ８０が回転して振動部８の全体がバイブレータのようにブルブルと振動する。この振動は中折れ傾向の陰茎に刺激を与えてその補強の一助となる。この振動は当然のことながら性交時には膣壁にも伝わる。なおリングは円環状のみならずΩ状などとすることが可能である。【００３１】  （第７実施形態）
図１１はこの考案の第７実施形態を表わす。この実施形態の陰茎補強具は、その殆どの構成を第２実施形態の構成に倣うが、リング３６が筒状体３の装着口に接続部３４を介して接続されておりこのリング３６の中に振動部８５を備えている点に特徴を有する。すなわちリング３６が上述した第６実施形態の振動部８５と電池８３とスイッチ８４とリード線８２とを全て備えているのである。なおリングは円環状のみならずΩ状などとすることが可能である。【００３２】  この実施形態の陰茎補強具の使用方法は上述の第６実施形態に倣う。リング３６と筒状体３とを陰茎に装着して陰茎を補強し、リング３６の図示しないスイッチをＯＮ状態にするとリング３６がバイブレータとしてブルブルと振動を始めて、この振動が中折れ傾向の陰茎に刺激を与える。なおこの振動は性交時には陰核などにも伝達される。なおリングは円環状のみならずΩ状などとすることが可能である。【００３３】  （第８実施形態）
図１２はこの考案の第８実施形態を表わす。この実施形態の陰茎補強具は上述した第２実施形態の筒状体３にカバーとしてのコンドーム２を組み合わせて成るものであり、更に上述した考案の第４実施形態に於ける円環状のリングを組み合わせて成る点に特徴を有するものであるが、この実施形態のリング９は更に振動部８５をも備えている。この振動部８５に付いては第７実施形態で説明した通りであり、このような振動部８５が筒状体３から独立したリング９の中に設けられている点が特徴的である。なおリングは円環状のみならずΩ状などとすることが可能である。【００３４】  この実施形態の陰茎補強具を使用するには、筒状体３をスリット３２から広げるようにして陰茎に装着し、続いてコンドーム２を、上述した巻き上げ部を陰茎の根元に向かって転がしながら筒状体３の装着口に至るまで筒状体３に被せるようにして陰茎を補強する。この後リング９を筒状体３の装着口に近い谷部３１に装着するようにする。リング９には中折れ傾向にある陰茎を補強する効果があるが、更にリング９は振動部８５を備えているため、振動部８５の図示しないスイッチをＯＮ状態にすることで、バイブレータとしてのブルブル振動を開始するのである。この振動が中折れ傾向の陰茎に刺激を与えるが、性交時には陰核などにも伝達されるようになる。
【産業上の利用可能性】
【００３５】  なおこの考案の陰茎補強具は手足の捻挫部を補強するための用具として構成することが可能である。
【図面の簡単な説明】
【００３６】
【図１】第１実施形態の斜視図である。
【図２】同実施形態の使用状態説明図である。
【図３】第２実施形態の側面図である。
【図４】同実施形態の使用状態説明図である。
【図５】第３実施形態の説明図である。
【図６】第４実施形態の平面図である。
【図７】同実施形態の使用状態説明図である。
【図８】第５実施形態の側面図である。
【図９】第６実施形態の側面図である。
【図１０】同実施形態の回路図である。
【図１１】第７実施形態の側面図である。
【図１２】第８実施形態の側面図である。
【符号の説明】
【００３７】１    筒状体
１０  山越え
１１  スリット
１２  円孔
１３  突起
２    コンドーム
２０  巻き上げ部
２１  巻き芯部
３    筒状体
３０  山部
３１  谷部
３２  スリット
３３  円孔
３４  接続部
３５  リング
３６  リング
４    カバー
４０  巻き上げ部
４１  巻き芯部
５    筒状体
５０  スリット
５１  円孔
６    リング
６０  磁石部
７    カバー
７０  突起
７１  巻き芯部
８    振動部
８０  モータ
８１  重錘
８２  リード線
８３  電池
８４  スイッチ
８５  振動部
９    リング
【図１】
0003148498.tif 000003
【図２】
0003148498.tif 000004
【図３】
0003148498.tif 000005
【図４】
0003148498.tif 000006
【図５】
0003148498.tif 000007
【図６】
0003148498.tif 000008
【図７】
0003148498.tif 000009
【図８】
0003148498.tif 000010
【図９】
0003148498.tif 000011
【図１０】
0003148498.tif 000012
【図１１】
0003148498.tif 000013
【図１２】
0003148498.tif 000014